(57)【要約】【課題】釣針が稚魚の上顎に掛かる頻度を少なくし、生体を弱らせずに釣り上げることができる潜行板と該潜行板と擬餌針からなる漁具およびその漁法を提供する。【解決手段】水中を牽引される潜行板であって、先細りの先端部を有し、該先端部には船側取付糸の結着部が形成されており、また後部には針側取付糸の結着部が形成されており、さらに該潜行板の上面または下面には牽引方向に対して横向きまたは斜向きのバーが設けられていることを特徴とする釣り用潜行板、およびフィンを有する擬餌針を組み合わせて用いることにより擬餌針を回転させて魚の上顎への針掛を少なくする。【選択図】図７
2009050197.tif 000002
【特許請求の範囲】
【請求項１】
水中を牽引される潜行板であって、先細りの先端部を有し、該先端部には船側取付糸の結着部が形成されており、また後部には針側取付糸の結着部が形成されており、さらに該潜行板の上面または下面には牽引方向に対して横向きまたは斜向きのバーが設けられていることを特徴とする釣り用潜行板。
【請求項２】
潜行板の先端結着部および後部結着部に取付糸を介して道糸が結び付けられ、これら取付糸と道糸の長さによって定まる針側距離を調整して、針側道糸に装着された擬餌針の水中での回転を制御する請求項１に記載する釣り用潜行板。
【請求項３】
潜行板下面のバーが、（イ）先端部両側の周縁に沿ってハの字形に配列されており、または（ロ）該潜行板下面の最横幅を横断して設けられており、または（ハ）該潜行板下面の後部を横断して設けられており、または（ニ）該潜行板下面の最横幅および後部をおのおの横断して二段に設けられている請求項１または請求項２に記載する釣り用潜行板。
【請求項４】
先端部の傾斜上面に船側取付糸を結着する貫通孔が形成されており、後部上面には針側取付糸を結着する弾性部材が設けられている請求項１〜請求項３の何れかに記載する釣り用潜行板。
【請求項５】
請求項１〜請求項４の何れかに記載する釣り用潜行板と、該潜行板の針側取付糸に結着される擬餌針とを備え、該擬餌針が側方に突き出たフィンを有することを特徴とする潜行板釣り具。
【請求項６】
フィンの幅および牽引方向に対するフィンの角度の異なる擬餌針がおのおの取り替え自在であり、フィン幅ないしフィン角度の異なる擬餌針を交換して擬餌針の水中での回転を制御する請求項５に記載する潜行板釣り具。
【請求項７】
請求項１〜請求項４の何れかに記載する釣り用潜行板と、該潜行板の針側取付糸に結着された擬餌針とを備えた釣り具を用いた漁法であって、大きさの異なる複数の潜行板を用い、小型潜行板と大型潜行板とをおのおの代えて擬餌針の振幅を調整することを特徴とする潜行板漁法。
【請求項８】
請求項１〜請求項４の何れかに記載する釣り用潜行板と、該潜行板の針側取付糸に結着された擬餌針とを備えた釣り具を用いた漁法であって、取付糸と道糸の長さによって定まる針側距離を調整して、針側道糸に装着された擬餌針の水中での回転を制御することを特徴とする潜行板漁法。
【請求項９】
対象魚がマグロ幼魚である請求項７または請求項８に記載する潜行板漁法。
【発明の詳細な説明】
【技術分野】
【０００１】
本発明は、潜行板と潜行板を用いた漁具および漁法に関する。より具体的には、本発明は擬餌針の水中での回転を制御して魚の上顎への引っかかりを少なくした潜行板と潜行板を用いた漁具および漁法に関する。
【背景技術】
【０００２】
カツオやマグロ等を対象魚とした漁としては、曳き縄漁・曳き釣り漁が知られている。これらの漁法は、例えば、図１に示すように、船Ｂの船尾等に突き出した竿Ｃによって潜行板Ｓを牽引し、この潜行板Ｓに擬餌針Ｒを取り付けて、対象漁を釣る漁法が行なわれている。
【０００３】
この漁法では、水中で牽引される潜行板Ｓに擬餌針Ｒが結着されているので、潜行板Ｓの水中での動きに影響されて擬餌針Ｒが水中で不規則な動きをし、この擬餌針Ｒの動きによって餌が泳いでいるような状態を生じさせて対象魚を誘引する。
【０００４】
このような漁法で用いる潜行板Ｓは、例えば、図２に示すように、船底を水平に切り取って伏せたような形状を有する板状部材１であり、胴体部分の先端２は先細りの形状を有し、該先端２から胴体部分の前半部にかけて横幅が最大の幅広部４を有している。また潜行板Ｓの上面は幅広部４および両側部分が下向きの傾斜面になっており、胴体部分の中央５が長さ方向に沿って盛り上がった形状を有しており、水中で牽引されたときに水流によって潜行板Ｓが下向きに潜るように形成されている。さらに胴体部分の中心線に沿って先端傾斜面の幅広部４の付近に牽引用の道糸（図示省略）を取り付ける貫通孔６が設けられており、一方、胴体部分の後部３には道糸（図示省略）の結着部分７が設けられている。該結着部分７は貫通孔や板ゴムなどによって形成されている。
【０００５】
図２に示す潜行板Ｓは道糸の長さや曳航速度に応じて水中の一定深さに潜行し、曳航時に全体が８の字の状態に回動し、この動きによって潜行板Ｓの後部３に道糸を結着されている擬餌針が、餌が泳いでいるような状態に動き、対象魚を誘引する。対象魚が擬餌針に食いついた場合は、魚の動きによって全体が反転して浮上するため掛かった魚の取り込みが容易であるという利点もある。
【０００６】
潜行板はマグロ、カツオ等の回遊魚からヒラメ等に至る多数の魚種に対し用いられている。また、後部を燕尾状の構造としたものが市販されているほか、前縁を半円形とし、裏面にバランサー位置を調整するための凹部を設けたもの（特許文献１）、高速曳航時の浮き上がりを防止するための翼を設けたもの（特許文献２）なども提案されている。
【０００７】
一方、漁業資源の国際的保護の傾向に伴い、近年では回遊魚の養殖も重要な課題となっている。回遊魚の養殖では、一般に稚魚ないし幼魚を天然状態で捕獲し、これを人工的な環境下で生育させる方法が一般的である。稚魚捕獲漁では、稚魚を極力痛めずに捕獲する必要があり、魚体を傷める可能性が少ないと期待される曳き縄漁法がマグロ養殖では主流となっている。しかし、従来の曳き縄漁法では、マグロの稚魚等の生存率が数％と非常に低い水準にある。マグロの稚魚等の生存率が低い原因としては、マグロの稚魚等を釣り上げて別の生け簀に移す際に、針が上顎に掛かって脳や神経を破壊し、生体を弱らせることが指摘されているが、その有効な対策がなされていないのが現状である。
【特許文献１】実開平０６−０６８４４５号公報
【特許文献２】特開平０７−２７４７８７号公報
【発明の開示】
【発明が解決しようとする課題】
【０００８】
本発明は、従来の上記課題を解決したものであり、マグロ稚魚等を釣り上げる際に、できるだけ釣針が稚魚の上顎に掛かる頻度を少なくし、生体を弱らせずに釣り上げることができる潜行板と、該潜行板と擬餌針からなる漁具、およびその漁法を提供することを目的とする。
【課題を解決するための手段】
【０００９】
本発明を検討する過程で以下の知見が得られた。すなわち、水中を牽引される潜行板に取り付けた擬餌針は、概ね水中では針の曲がりは下向きに安定しているが、頻繁に稚魚の上顎に針が掛かるのは、稚魚はいったん口腔内深くに擬餌針を吸い込んだ後、これを吐き出す行動を取っていると考えられ、この吐き出し時に、口腔蓋上部（上顎）に針掛りするケースが多い。
【００１０】
上記知見に基づき、従来の潜行板に改良を加え、好ましくはさらに潜行板に取り付ける擬餌針を改良して、擬餌針が稚魚の上顎に掛かる頻度を少なくし、マグロ稚魚等の生体を弱らせずに釣り上げることができる潜行板、および該潜行板と擬餌針からなる漁具を開発した。
【００１１】
本発明によれば、以下の構成を有する潜行板が提供される。
〔１〕水中を牽引される潜行板であって、先細りの先端部を有し、該先端部には船側取付糸の結着部が形成されており、また後部には針側取付糸の結着部が形成されており、さらに該潜行板の上面または下面には牽引方向に対して横向きまたは斜向きのバーが設けられていることを特徴とする釣り用潜行板。
〔２〕潜行板の先端結着部および後部結着部に取付糸を介して道糸が結び付けられ、これら取付糸と道糸の長さによって定まる針側距離を調整して、針側道糸に装着された擬餌針の水中での回転を制御する上記[１]に記載する釣り用潜行板。
〔３〕  潜行板下面のバーが、（イ）先端部両側の周縁に沿ってハの字形に配列されており、または（ロ）該潜行板下面の最横幅を横断して設けられており、または（ハ）該潜行板下面の後部を横断して設けられており、または（ニ）該潜行板下面の最横幅および後部をおのおの横断して二段に設けられている上記[１]または上記[２]に記載する釣り用潜行板。
〔４〕先端部の傾斜上面に船側取付糸を結着する貫通孔が形成されており、後部上面には針側取付糸を結着する弾性部材が設けられている上記[１]〜上記[３]の何れかに記載する釣り用潜行板。
【００１２】
また、本発明によれば、以下の構成を有する潜行板釣り具、およびその漁法が提供される。
〔５〕上記[１]〜上記[４]の何れかに記載する釣り用潜行板と、該潜行板の針側取付糸に結着される擬餌針とを備え、該擬餌針が側方に突き出たフィンを有することを特徴とする潜行板釣り具。
〔６〕フィンの幅および牽引方向に対するフィンの角度の異なる擬餌針がおのおの取り替え自在であり、フィン幅ないしフィン角度の異なる擬餌針を交換して擬餌針の水中での回転を制御する上記[５]に記載する潜行板釣り具。
〔７〕上記[１]〜上記[４]の何れかに記載する釣り用潜行板と、該潜行板の針側取付糸に結着された擬餌針とを備えた釣り具を用いた漁法であって、大きさの異なる複数の潜行板を用い、小型潜行板と大型潜行板とをおのおの代えて擬餌針の振幅を調整することを特徴とする潜行板漁法。
〔８〕上記[１]〜上記[４]の何れかに記載する釣り用潜行板と、該潜行板の針側取付糸に結着された擬餌針とを備えた釣り具を用いた漁法であって、取付糸と道糸の長さによって定まる針側距離Ｂを調整して、針側道糸に装着された擬餌針の水中での回転を制御することを特徴とする潜行板漁法。
〔９〕対象魚がマグロ幼魚である上記[７]または上記[８]に記載する潜行板漁法。
【発明の効果】
【００１３】
本発明によれば、釣針が釣り上げる魚の上顎に引っ掛る頻度が大幅に少なく、魚体のダメージを効果的に防止することができる。また擬餌針が効果的に対象魚を誘引する動きをするので、マグロ幼魚等を釣り上げる際に、捕獲歩留まりを飛躍的に向上させることができる。
【発明を実施するための最良の形態】
【００１４】
以下、本発明を図面に示す実施例に基づいて具体的に説明する。
本発明の潜行板は、水中を牽引される潜行板であって、先細りの先端部を有し、該先端部には船側取付糸の結着部が形成されており、また後部には針側取付糸の結着部が形成されており、さらに該潜行板の上面または下面には牽引方向に対して横向きまたは斜向きのバーが設けられていることを特徴とする釣り用潜行板である。
【００１５】
〔潜行板〕
図３に示す本発明の潜行板１は、船側牽引方向に向かって先細りの先端２を有し、該先端２から胴体部分の前半部にかけて横幅が最大の幅広部４を有している。また潜行板１の上面はその中央５が長さ方向に沿って盛り上がった形状を有しており、先端部分から上記幅広部４、および胴体の両側部分が下向きの傾斜面になっており、水中で牽引されたときに水流によって潜行板１が下向きに潜るように形成されている。
【００１６】
胴体部分の中心線に沿って先端傾斜面の幅広部４の付近に牽引用の道糸（図示省略）を取り付ける貫通孔６が設けられており、一方、胴体部分の後部３には道糸（図示省略）の結着部分７が設けられている。図３に示す潜行板１の結着部分７は板ゴムなどの弾性材料によって形成されているが、貫通孔(図示省略)でも良い。なお、結着部分７を板ゴムによって形成した場合、板ゴムの長さが短いと擬餌針の振りが大きくなる傾向があり、板ゴムの振動によって擬餌針が左右非対象に振れる傾向がある。
【００１７】
図３に示す潜行板には、上記先端部の傾斜上面の縁部に沿って牽引方向に対して斜向きのバー１０が設けられている。該バー１０は先端部の両側におのおの設けられており、これら一対のバーによってハの字形に形成されている。図示するバー１０は潜行板の上面に形成されているが、潜行板の下面に形成してもよい。
【００１８】
潜行板に設けたバー１０の配列形状を図４に示す。図４（ａ）の例は、バー１０が先端部の縁部に沿った湾曲を有しており、図４（ｂ）の例は、直線状のバー１０が先端部の縁部に沿って配列されており、図４（ｃ）の例は、直線状のバー１０が先端部の縁部に沿って配列されていると共に該バー１０の先端に隙間が形成されている。これら図４(ａ)(ｂ)(ｃ)の何れも、バー１０は潜行板の先端２から幅広部４の付近に至る長さを有している。
【００１９】
図３および図４に示すバー１０は、潜行板が水中で牽引されたときに、潜行板の先端部にかかる水の流れを潜行板の両側に案内して潜行板の姿勢を制御すると共に、潜行板の先端部にかかる水圧を受けて、潜行板の動きを大きく敏速にする作用を有する。
【００２０】
上記バー１０の他の配列を図５に示す。図５（ａ）の例は、潜行板の幅広部４を横断して横向きにバー１０が設けられており、図５（ｂ）の例は、潜行板の幅広部４と後部３に潜行板を横断するように横向きのバー１０が二段に設けられている。なお、潜行板の先端部に図４(ａ)(ｂ)(ｃ)の何れかに示す配列形状のバー１０を設け、潜行板の後部に横向きのバー１０を設けても良い。
【００２１】
潜行板に設けたバー１０は、潜行板に沿った水流の圧力を受けて潜行板の動きを大きく敏速にする作用を有する。具体的には、例えば、図６に示すように、潜行板の頂部にハの字形にバー１０ａ、１０ｂを設けた場合、潜行板の尾部が潜行板の重心３０に対して右側に回転した場合、重心３０の右側にあるバー１０ａはこの回転によって水流に向かって張り出すようになるので回転前より大きな力（図６Ｆ２）を受け、この合力によって重心３０を中心にした回転力が加速される。
【００２２】
〔擬餌針ライン長さ〕
本発明の潜行板は、図７に示すように、先端部の結着部（貫通孔６）に船側取付糸８が設けられ、後部の結着部（板ゴム７）に針側取付糸９が設けられる。取付糸８には牽引側（舟側）の道糸１１が結び付けられ、取付糸９には針側の道糸１２が結び付けられる。本発明の潜行板は、これら取付糸と道糸の長さによって定まる船側距離ＬＡと針側距離ＬＢについて、針側距離ＬＢを調整して、針側道糸に装着された擬餌針の水中での回転を制御することができる。針側距離ＬＢを調整するには取付糸や道糸の長さを代えれば良い。
【００２３】
第一の態様として、潜行板と針側距離ＬＢを短くすると、例えば、針側距離ＬＢを２メートル未満に短くした場合は、潜行板と擬餌針の距離が短いので、潜行板の動きが擬餌針に伝わりやすくなり、このため、擬餌針が潜行板に追従して大きく動く。この結果、擬餌針は瞬間的かつ高頻度に大きな力で繰り返し引かれる。この際、擬餌針にフィンが形成されていると、フィンが水圧を受けて擬餌針が大きく回転しやすくなり、擬餌針の振幅および前後動が大きくなる傾向がある。
【００２４】
第二の態様として、潜行板と針側距離ＬＢを長くすると、例えば、針側距離ＬＢを２メートル以上にすると、潜行板の動きは道糸によって吸収されやすくなるので、擬餌針の振幅および前後動の大きさは距離Ｂに比例して小さくなる傾向があるが、潜行板の動きはシャクリとして擬餌針に伝わる。
【００２５】
このように、擬餌針ラインの長さ（針側距離ＬＢ）によって、擬餌針の動きは異なるものの、いずれの場合でも擬餌針の回転が生じる結果、擬餌針に仕込まれた針の位置は絶えず変化することになり、これを魚が摂食した場合には、従来の擬餌針のように深く飲み込んで吐き出す（この際に上顎に針掛する）ことが困難となり、口吻の横または下顎への針掛確率が飛躍的に大きくなる。なお、回転が起こる限りその速度は特に限定されないが、通常は１回転／１秒〜１０回転／１秒程度が好ましい。過度に速い回転は摂餌には却って不利になると思われる。
【００２６】
〔擬餌針の形状〕
上記潜行板と組み合わせて用いる擬餌針の形状は限定されず、対象魚に応じたものを用いることができる。例えば、マグロの場合、主にイワシ類、アジ、サバ、タコ、エビ、イカ等の海生生物種の成魚や稚魚に似せた形状が用いられる。
【００２７】
本発明においては、これらの擬餌針の頭部にフィンを有するものが好ましい。例えば、図８（ａ）に模式的に示すタコベイト（イカ・タコ状に分岐した足を有する擬餌針）２０は頭頂部２１と脚部２２の間に針２３を組み込んだものであるが、図８（ｂ）に示すように、その先端、すなわち頭頂部２１の両側に突き出たフィン２４が設けられている。
【００２８】
好ましくは、フィン２４は擬餌針の両側に平行に突き出たものが良い。また、該フィン２４の形状は、擬餌針の先端側の長さｈ１、後側の長さｈ２とするとき、先端側長さｈ１が後側長さｈ２と同等か大きい（ｈ１≧ｈ２）ものが良い。さらに該フィン２４が取り付けられている擬餌針頭部の角度θ（擬餌針の中心軸方向に対して擬餌針の頭部側面方向のなす角度）は２０°以下（θ≧２０°）が好ましい。ｈ２がｈ１よりも大きく、擬餌針頭部の角度θが２０°より小さいと、擬餌針の十分な回転が得られない。
【実施例】
【００２９】
以下、実施例、比較例、および参考例によって本発明を具体的に示す。なお、本発明はこれらの例に限定されない。
【００３０】
〔参考例〕
大型曳航水槽を用いて潜行板と擬餌針との組み合わせによる擬餌針の挙動を検討した。曳航水槽は有効延長１００ｍ、水槽幅５ｍの水槽両縁にレールを敷設し、その上に可動ステージを設けたものである。漁具は、図７に示すように、潜行板１の貫通孔６に環状に通じた取付糸８に道糸１１を結び付け、潜行板後部の板ゴム部分７には取付糸８を環状に取り付けて道糸１１を結び付け、道糸１２にはタコベイト２０を取り付けたものを用いた。水深１.５ｍの上記水槽において、道糸１１の他端を可動ステージに取り付けて３ノットで曳航し、潜行板と擬餌針の挙動をビデオ録画して観察した。
【００３１】
上記実験において、糸長Ａ（貫通孔６から可動ステージまでの道糸の長さ）と、糸長Ｂ（取付糸９の後端ａからタコベイト取付部ｂまでの道糸の長さ）について、潜行板と擬餌針の挙動の変化を調べた。なお、潜行板は長さ１７.７cm、幅広部の横幅８.５cm、後端部厚５.０cm、先端部厚１.２cm、バーを有しないものを使用した。
【００３２】
〔実験１〕
糸長Ｂを３.０ｍに固定し、糸長Ａを２.５０ｍ、４.９４ｍの２タイプとした。その結果、いずれの場合も、擬餌針の左右の動きはほとんど観察されず、前後に２cm程度の動きが観察されるのみであった。すなわち、糸長Ａは潜行板と擬餌針の挙動にはほとんど影響しないことが確認できた。
【００３３】
〔実験２〕
糸長Ａを一定長さに固定し、糸長Ｂを変えたときの擬餌針の挙動を観察した。結果を図７に示す。図７に示されているように、糸長Ｂが２〜３ｍ以下では、擬餌針は潜行板に追従して前後左右に大きく揺れるが、糸長Ｂが３ｍを超えると潜行板の動きは、特に左右方向（曳航方向に対し垂直面内）では殆ど吸収され、振幅および前後動が小さくなる。
【００３４】
上記実験１および実験２の結果は、潜行板にバーを設けた本発明の潜行板（潜行板先端の縁部に沿って２本のバーをハの字型に設けた潜行板）についても同様の傾向が確認された。
【００３５】
〔実施例１〕
図７に示す潜行板に擬餌針を取り付けた漁具について、擬餌針の形状による擬餌針の挙動の相違を調べた。表１に擬餌針の形状を示した。潜行板の曳航速度は３ノット、糸長さＢは３.０ｍである。結果を表１に示した。表中、Ｗはフィンの幅、ｈ１は前側フィンの長さ、ｈ２は後側フィンの長さ、θは擬餌針頭部の角度、左右の振幅は上下左右の動きの振幅、回転数は擬餌針の回転数である。
【００３６】
表１の結果に示すように、
No.I-A(4)およびNo.I-B(4)はフィンの長さが小さいので針が回転しない。
No.II-(2)、No.II-(3)は擬餌針の重量が大きいので針が回転しない。
No.II-(2)、No.II-(3)は擬餌針頭部の角度が小さいので針が回転しない。
No.I-B(1)、No.II-(1)は回転数が多い。
No.I-A(2)、No.I-B(2)は左右振幅が大きい。
【００３７】
【表１】
2009050197.tif 000003
【００３８】
〔実施例２〕
図７に示す本発明の潜行板〔表１のNo.I-A(1)、No.I-B(1)、No.II-(1)〕について、小型潜行板（全長17.7cm、幅広部横幅8.5cm）と大型潜行板（全長23.5cm、幅広部横幅11.5cm）を用い、擬餌針の前後動の振幅、および上下左右動の振幅を調べた。潜行板の曳航速度は３ノット、糸長さＢは３.０ｍである。この結果を表２に示した。表中、小型は小型潜行板を用いた場合、大型は大型潜行板を用いた場合である。表２に示すように、小型潜行板よりも大型潜行板を用いた場合には擬餌針の前後動および上下左右動の振幅を大きくすることができる。
【００３９】
【表２】
2009050197.tif 000004
【００４０】
〔実施例３〕
潜行板にバーを設けた本発明の潜行板を用い、潜行板の挙動を検討した。本発明の潜行板として、参考例と同寸法の潜行板について、表３に示すように潜行板の上面にバーを設けたものを用いた。何れの場合も、バーの長さは５.５cm、バーの高さは0.5cmである。また、バーを設けない潜行板を用いた結果を比較例として示した。さらに、針に重りを付けた場合について検討した。潜行板の曳航速度は３ノット、糸長さＢは１.３５ｍである。この結果を表３に示した。
【００４１】
表３に示すように、潜行板にバーを設けることによって擬餌針の前後動および左右上下動の振幅を大きくすることができる。バーの取付形状はハの字形が効果的であることが確認された。また、潜行板の動きが大きく、針が追従できない場合には針の重量を増すことが有効であることが判明した。
【００４２】
表中、No.Ａ１（横バー上下二段）は潜行板の先頭部と後部に横向き（幅方向）のバーをおのおの設けたものであり、No.Ａ２（横バー上一段）は潜行板の先頭部に横向きのバーを一段に設けたものであり、No.Ａ３（横バー下一段）は潜行板の後部に横向きのバーを一段に設けたものであり、No.Ａ４（横バー上三段）は潜行板の先頭部に横向きのバーを三段に設けたものである。No.Ａ５（ハの字形）は潜行板先頭部の両側縁部に沿ってバーをハの字形に設けたものであり、No.Ａ６（ハの字形＋尻尾）は潜行板先頭部の両側縁部に沿ってバーをハの字形に設け、さらに潜行板後部に尻尾（潜行板と同じ長さの針金）を設けたものであり、No.Ａ７（ハの字形＋針重り）は潜行板先頭部の両側縁部に沿ってバーをハの字形に設け、針の頂部に重りを付けたものである。
【００４３】
【表３】
2009050197.tif 000005
【００４４】
〔実施例４〕
表４に示す漁具を用い、平均時速５.５〜６ノットで実地検証を行なった。気象条件はべた凪・薄曇、水温は１９.６℃であった。比較の「バクダン」と通称される補助具は潜行せず海上を跳躍する半球状の補助具である。この結果を表４に示す。収穫魚はヨコワ（マグロ幼魚の通称）が主であるが、若干のシイラも掛かった。上顎率は針が釣り上げた魚の上顎に引っかかていた割合である。
表４に示すように、本発明に掛かる改良した潜行板とフィンを有する擬餌針からなる漁具を用いた場合には、上顎率が０％であり、全ての例で擬餌針が魚の横顎または下顎に掛かり、魚を弱らせずに釣り上げることができた。一方、従来の潜行板と擬餌針を用いたものは、魚を引き上げ途中で針が外れた。
【００４５】
【表４】
2009050197.tif 000006
【産業上の利用可能性】
【００４６】
本発明の改良潜行板および改良擬餌針を用いた場合には、魚の上顎に針掛が生じる可能性が極めて少ないので、魚体へのダメージを最小限に抑えることができる。従って、養殖において幼魚を釣り上げるのに適する。また、擬餌針が自然な動きをするので集魚効果が大きく、漁獲量を高めることができる。
【図面の簡単な説明】
【００４７】
【図１】擬餌針曳航漁法の一般的な構成を示す模式図。
【図２】潜行板の構造を示す模式的な斜視図。
【図３】本発明に係る潜行板の構造を示す模式的な斜視図。
【図４】本発明の潜行板においてバーの配置例を示す模式的な平面図。
【図５】本発明の潜行板においてバーの配置例を示す模式的な平面図。
【図６】本発明の潜行板においてバーの作用を示す説明図。
【図７】本発明による漁具の構成を示す模式図。
【図８】擬餌針の改良例を示す模式図。
【図９】潜行板から擬餌針に至る糸長Ｂの違いによる擬餌針の挙動を示すグラフ。
【符号の説明】
【００４８】
Ｂ−船、Ｃ−竿、Ｒ−擬餌針、Ｓ−潜行板、
１−潜行板、２−先端、３−後部、４−幅広部、５−中央部、６−貫通孔、７−結着部、８−取付糸、９−取付糸、１０−バー、１１−道糸、１２−道糸、２０−擬餌針、２１−頭頂部、２２−脚部、２３−針、２４−フィン、３０−重心、
θ−擬餌針頭部の角度、θ２−バーないし潜行板先端の角度、ｈ１−前側フィンの長さ、ｈ２−後側フィンの長さ。
【図１】
2009050197.tif 000007
【図２】
2009050197.tif 000008
【図３】
2009050197.tif 000009
【図４】
2009050197.tif 000010
【図５】
2009050197.tif 000011
【図６】
2009050197.tif 000012
【図７】
2009050197.tif 000013
【図８】
2009050197.tif 000014
【図９】
2009050197.tif 000015